(57)【特許請求の範囲】
【請求項１】
回転駆動する一対の折りロ−ラと、往復移動するナイフ駆動軸に固定されたナイフと、前記ナイフを挟む両側に配置され、前記一対の折りロ−ラ上に位置決めした用紙の折り位置の近傍を前記一対の折りロ−ラ間にガイドするガイド板とを備え、前記一対の折りロ−ラ上に位置決めした用紙の折り位置を前記ナイフの往移動により前記一対の折ローラ間に押し込み前記用紙を折り畳んでなる用紙ナイフ折り装置において、前記ガイド板を、前記ナイフ駆動軸に該ナイフ駆動軸の移動方向と同方向に伸縮するバネを介して連結して、前記ナイフ駆動軸の移動とともに移動させるとともに、前記ガイド板が前記一対の折ローラ上の用紙に接近する位置まで移動したとき、前記ガイド板の移動を停止させるストッパと、前記ストッパによる前記ガイド板の停止状態を拘束する電磁ソレノイドを設け、前記ナイフ駆動軸の往移動により前記ガイド板が前記一対の折ローラ上の用紙に接近する位置まで移動して前記ストッパにより停止したとき、前記電磁ソレノイドを駆動して前記ガイド板の前記ストッパによる停止状態を拘束し、前記ナイフ駆動軸の復移動により前記ナイフが前記一対の折ローラより所定の位置まで離間したとき、前記電磁ソレノイドによる前記ガイド板の停止状態の拘束を解除してなる用紙ナイフ折り装置。
【発明の詳細な説明】
【０００１】
【発明の属する技術分野】
本発明は、用紙ナイフ折り装置に関するものである。
【０００２】
【従来の技術】
図４は、カンノン折り用紙と称される用紙の一例を示す斜視図である。図４において、カンノン折り用紙１は両端部より平行に内側に折られ、この内側に折られた部分１ａ，１ｂはペラ部分と称されている。
【０００３】
図５は、図４のようなカンノン折り用紙１の中心線１ｃを折り位置とする例の斜視図である。このようなカンノン折り用紙１の中心線１ｃを折り位置として折り丁を形成する際には、用紙ナイフ折り装置が使用されている。
【０００４】
図６は、用紙ナイフ折り装置の一例を示す概略の斜視図である。図６において、２は用紙ナイフ折り装置、２ａはナイフ、２ｂは一対の折りローラ、２ｃは第１の駆動装置、２ｄは第１の伝動ベルトである。第１の伝動ベルト２ｄは図示のように一対の折りローラ２ｂの一方側では上側から、他方側では下側から掛け渡している。第１の駆動装置２ｃを矢視Ｐ方向（時計回り方向）に駆動すると、第１の伝動ベルト２ｄはＱ方向に回動し、一対の折りローラ２ｂはそれぞれ矢視Ｒ，Ｓ方向に互いに逆方向に回転する。
【０００５】
２ｅは第２の駆動装置、２ｆは第２の伝動ベルト、２ｇは電磁クラッチ、２ｈは偏心カムが設けられている連結部、２ｉはナイフ上下軸、２ｊはナイフ固定台である。第２の駆動装置２ｅを駆動すると、第２の伝動ベルト２ｆを介して電磁クラッチ２ｇを動作させて、連結部２ｈに設けられている偏心カムにより回転運動を上下運動に変換して、連結部２ｈでナイフ上下軸２ｉを上下動させる。ナイフ上下軸２ｉにはナイフ固定台２ｊを連結し、ナイフ固定台２ｊにナイフ２ａを固定しているので、ナイフ上下軸２ｉを上下動させることにより、ナイフ２ａも連動して上下動する。すなわち、これらの２ｅ〜２ｊの各部材によりナイフ２ａを上下動させ、一対の折りローラ２ｂに対してナイフ２ａの往復動機構を構成している。
【０００６】
第１の駆動装置２ｃを矢視Ｐ方向に駆動して一対の折りローラ２ｂをそれぞれ矢視Ｒ，Ｓ方向に互いに逆方向に回転させておき、カンノン折り用紙１を矢視Ｙ方向から用紙ナイフ折り装置２に供給する。カンノン折り用紙１の中心線が一対の折りローラ２ｂの中間位置に供給されるタイミングで、ナイフ２ａをカンノン折り用紙１の折り位置である中心線１ｃに下降させて一対の折りローラ２ｂ間に押し込み、一対の折りローラ２ｂはそれぞれ前記矢視Ｒ，Ｓ方向に回転して折り位置から引き込んで折り丁を形成し、矢視Ｚ方向に搬出する。
【０００７】
図７は、前記ナイフ動作時に用紙ナイフ折り装置を図６の矢視Ｘ方向からみた概略の側面図である。図７において、３ａ，３ｂは図６では図示を省略しているが、カンノン折り用紙１の搬送方向に沿って配置されているペラ部１ａ，１ｂの押さえ部材である。このような押さえ部材３ａ，３ｂを設けても、ナイフ２ａを下降させてカンノン折り用紙１の折り位置である中心線１ｃを一対の折りローラ２ｂ間に押し込んで折り丁を形成する際には、ペラ部１ａ，１ｂの開放端が固定されず自由端となるので安定せず、折り丁の仕上がりが悪くなるという問題がある。
【０００８】
図９、図１０は、このような折り丁の仕上がりが悪い不良品の例を示すものである。図９はカンノン折り用紙１の一方端部１ｅの折れ部に重なって二段折れ部１ｆが形成される例の斜視図であり、図１０は一方のペラ部１ａに外側飛び出し部１ｇ，１ｈが形成される例の斜視図である。
【０００９】
図９に示すような二段折れ部は、ナイフ２ａを下降させてカンノン折り用紙１の折り位置である中心線１ｃを押圧し、一対の折りローラ２ｂ間に前記折り位置を引き込む際に、カンノン折り用紙１を両端部より平行に内側に折られた部分のうち、図示の例では端部１ｅ側にペラ部１ｂの開放端と中心線１ｃとの間の間隙より空気が入り込み、この状態で一対の折りローラ２ｂ間で押圧力を加えるので端部１ｅの折れ部に重なって二段折れ部１ｆが形成される。また、図１０に示すような外側飛び出し部１ｇ，１ｈは、ペラ部の開放端、この例ではペラ部１ａの開放端が固定されず自由端となっているため、ナイフ２ａを下降させカンノン折り用紙１の折り位置である中心線１ｃに折りぐせを形成するために押圧力を加えた際に、めくれ部分が生じてしまうために発生する。
【００１０】
図９に示したような二段折れ部の発生は、一対の折りローラ間の隙間を大きくすることにより防止できる。しかしながら、前記ローラ間の隙間を大きくするとカンノン折り用紙１の折り位置である中心線１ｃに折りぐせが付与されず、折り丁が美麗に形成されないという別の問題が生じる。
【００１１】
そこで、前記押さえ部材３ａ，３ｂを設けると共にガイド板を設けてペラ部１ａ，１ｂの開放端を安定させ、折り丁の仕上がりを良好にする試みがなされている。図８はこのようなガイド板を設けた用紙ナイフ折り装置を図６の矢視Ｘ方向からみた概略の側面図である。この例では、ナイフ２ａの上下動に連動して上下動するガイド板４を図示しない取り付け部に固定し、カンノン折り用紙１の折り位置である中心線１ｃにナイフを押圧する際に、ペラ部１ａ，１ｂが外側に開かないようにガイド板４によりペラ部１ａ，１ｂを押さえている。このため、ペラ部１ａ，１ｂの開放端は安定するので折り丁の仕上がりは良好になる。
【００１２】
【発明が解決しようとする課題】
しかしながら、図８に示したようなガイド板を用紙ナイフ折り装置に設けても、図９、図１０に示したような折り丁の不良品が発生するという問題がある。すなわち、図８の例ではカンノン折り用紙１の折り位置である中心線１ｃに折りぐせを付与して折り丁を形成する際には、ナイフ２ａとガイド板４とは連動して下降する構成としており、ガイド板４がペラ部１ａ，１ｂを押さえるよりも先にナイフ２ａの先端がカンノン折り用紙１の折り位置である中心線１ｃに到達して一対のローラ２ｂ間に押し込んで折り丁を形成するので、ガイド板４が機能せず、結果的には図９に示したような二段折れ部が発生する場合がある。
【００１３】
また、ナイフ２ａがカンノン折り用紙１の折り位置である中心線１ｃを一対のローラ２ｂ間に押し込んでからナイフ２ａが上昇動作に移行すると、ガイド板４も連動して上昇を開始する。一方、カンノン折り用紙１は一対のローラ２ｂ間で引き込みが開始され、カンノン折り用紙１のペラ部１ａ，１ｂが一対の折りローラ２ｂの位置に到達すると、この時点ではガイド板４は既に上昇しているためにペラ部１ａ，１ｂを押さえられず、図１０に示したようなペラ部１ａに外側飛び出し部１ｇ，１ｈが形成される場合がある。このように、一対の折りローラとナイフにより用紙の折り位置に折りぐせを付与して折り丁を形成する際には、ナイフで押圧される用紙の折り位置の両側が安定した状態ではないために、折り丁の仕上がりが悪くなるという問題があった。
【００１４】
本発明はこのような問題に鑑み、一対の折りローラとナイフを用いて用紙の折り位置に折りぐせを付与して折り丁を形成する際に、折り丁の仕上がりを良好にする用紙ナイフ折り装置の提供を目的とする。
【００１５】
【課題を解決するための手段】
上記目的は、回転駆動する一対の折りロ−ラと、往復移動するナイフ駆動軸に固定されたナイフと、前記ナイフを挟む両側に配置され、前記一対の折りロ−ラ上に位置決めした用紙の折り位置の近傍を前記一対の折りロ−ラ間にガイドするガイド板とを備え、前記一対の折りロ−ラ上に位置決めした用紙の折り位置を前記ナイフの往移動により前記一対の折ローラ間に押し込み前記用紙を折り畳んでなる用紙ナイフ折り装置において、前記ガイド板を、前記ナイフ駆動軸に該ナイフ駆動軸の移動方向と同方向に伸縮するバネを介して連結して、前記ナイフ駆動軸の移動とともに移動させるとともに、前記ガイド板が前記一対の折ローラ上の用紙に接近する位置まで移動したとき、前記ガイド板の移動を停止させるストッパと、前記ストッパによる前記ガイド板の停止状態を拘束する電磁ソレノイドを設け、前記ナイフ駆動軸の往移動により前記ガイド板が前記一対の折ローラ上の用紙に接近する位置まで移動して前記ストッパにより停止したとき、前記電磁ソレノイドを駆動して前記ガイド板の前記ストッパによる停止状態を拘束し、前記ナイフ駆動軸の復移動により前記ナイフが前記一対の折ローラより所定の位置まで離間したとき、前記電磁ソレノイドによる前記ガイド板の停止状態の拘束を解除してなる構成とすることにより達成される。
【００１６】
このような構成とすることにより、用紙の折り位置の近傍を両側で押さえる押さえ板を、一対の折りローラ上の用紙に近接した位置で移動を停止させて保持する機構を設けているので、ナイフで用紙の折り位置を一対の折りローラ間に押し込む際に用紙が安定し、また、ナイフを一対の折りローラから所定位置まで離間させた後に、すなわち折り丁形成後に押さえ板を上昇させるので、用紙のサイズに拘わらず折り丁の仕上がりが良好になる。
【００１７】
【発明の実施の形態】
以下、本発明に係る用紙ナイフ折り装置の実施の形態について図を参照して説明する。図１は用紙ナイフ折り装置を一部省略して示す概略の斜視図であり、図２は図１の矢視Ｘ方向からみた側面図である。図６の従来例と同一の部分または対応する部分には同一の符号を付しており詳細な説明は省略する。図１に示すようにガイド板４は長さ方向に沿って両側からホルダ５ａ，５ｂで固定されて一対の折りローラ２ｂの上に配置される。
【００１８】
一対の折りローラ２ｂの上に配置されるホルダ５ａ，５ｂの一方の先端部はガイド板上下軸６ａ，６ｂに固定され、ガイド板上下軸６ａ，６ｂの上部は連結具７で連結される。８は用紙ナイフ折り装置の適宜の個所に固定される電磁ソレノイドである。連結具７には、図２に示すように位置決め棒７ａが設けられている。電磁ソレノイド８に形成された挿通孔８ａには位置決め棒７ａの先端位置を上下方向で調整可能にするストッパー１２が設けられている。このストッパー１２は挿通孔８ａの下側から矢視Ｔ方向にネジを押し込むことにより構成している。
【００１９】
図３は、ナイフ上下軸とガイド板上下軸との連結関係を説明する概略の正面図である。ナイフ上下軸２ｉにブロック９を固定し、ブロック９にはガイド板駆動金具１０を取り付けている。ガイド板駆動金具１０と、ガイド板上下軸６ａ，６ｂを連結する連結具７とは上下方向に伸縮するバネ部材１１により接続されている。７ｂは連結具７に設けたバネ固定部である。ナイフ上下軸２ｉが初期設定位置から一対の折りローラ２ｂに向けて下降すると、ブロック９、ガイド板駆動金具１０、バネ部材１１を介して連結具７には下降方向の引っ張り力が加わり、ガイド板上下軸６ａ，６ｂが下降する。
【００２０】
ガイド板上下軸６ａ，６ｂが下降することにより、ホルダ５ａ，５ｂを介してガイド板上下軸６ａ，６ｂに取り付けられているガイド板４もナイフ２ａと連動して初期設定位置から一対の折りローラ２ｂに向けて下降を開始する。ガイド板４がペラ部１ａ，１ｂの開放端に接触してから更に１０ｍｍ程度降下して、一対の折りローラ２ｂに近接した位置に移動し位置決め棒７ａの先端位置が電磁ソレノイド８の挿通孔８ａに設けられているストッパー１２の位置に到達すると、電磁ソレノイド８が動作して位置決め棒７ａを拘束して保持する。これによって、ガイド板４もこの位置で停止して上下動が拘束されペラ部１ａ，１ｂの解放端を押さえつける。
【００２１】
その後もナイフ上下軸２ｉが下降動作するためにナイフ２ａは降下を続けるが、ナイフ上下軸２ｉと連結具７との間にはバネ部材１１を介在させており、しかも位置決め棒７ａは電磁ソレノイド８で拘束されているので、ナイフ上下軸２ｉが降下してもバネ部材１１が下方に引っ張られるのみであり、ガイド板４は降下しない。
【００２２】
ナイフ２ａがカンノン折り用紙１の折り位置である中心線１ｃを押圧しながら一対の折りローラ２ｂ間に接触させる位置、すなわちナイフ２ａの下限位置に到達すると、ナイフ２ａは下降動作を停止して、その後上昇動作に移行し上限位置で停止する。この際にもナイフ上下軸２ｉの上昇動作による上向きの力はバネ部材１１により遮断され、ガイド板４には伝達されない。なお、ナイフ２ａの上記下限位置および上限位置の検出は、図示しないセンサにより行われる。
【００２３】
このように、ガイド板４によりペラ部１ａ，１ｂの開放端を押さえつけた状態で、ナイフ２ａを更に降下させてカンノン折り用紙１の折り位置である中心線１ｃを一対の折りローラ２ｂの位置に向けて押圧するので、ペラ部１ａ，１ｂの開放端とカンノン折り用紙１のナイフ折り部との間の間隙がなくなり、図９に示したような二段折り部の発生を防止できる。
【００２４】
カンノン折り用紙１は、折り位置である中心線１ｃがナイフ２ａにより一対の折りローラ２ｂ間に押し込まれると、一対の折りローラ２ｂの回転により下向きに搬送されていく。その後カンノン折り用紙１の端部１ｄ，１ｅ（図９）の位置が一対の折りローラ２ｂ間に達すると、これをセンサ１３が検出して電磁ソレノイド８の通電を停止する。このため、位置決め棒７ａは電磁ソレノイド８で拘束されて保持された状態から解放される。
【００２５】
ガイド板駆動金具１０の位置は、ナイフ上下軸２ｉの上昇動作により連結具７の上方に位置しており、バネ部材１１には上向きに引っ張り力が加わっている。このため、位置決め棒７ａを電磁ソレノイド８の拘束から解放すると、バネ部材１１の弾性力により連結具７が引き上げられ、ガイド板４は初期設定位置に復帰する。
【００２６】
このように、ブロック９、ブロック９に取り付けられているガイド板駆動金具１０、ガイド板駆動金具１０に接続されているバネ部材１１、バネ部材１１と接続されている連結具７、連結具７に連結されるガイド板上下軸６ａ，６ｂ、ガイド板上下軸６ａ，６ｂに固定されるホルダ５ａ，５ｂ、ガイド板４の降下を停止させるストッパー１２、ガイド板４を前記ストッパー１２による停止位置で保持し、ナイフ２ａの一対の折りローラ２ｂからの離間位置に応じてガイド板４の保持を解除する電磁ソレノイド８とにより、ナイフ上下軸２ｉとガイド板４との連結機構を構成している。
【００２７】
カンノン折り用紙１の端部１ｄ，１ｅの位置は用紙のサイズにより異なるが、ナイフ２ａの初期設定位置への上昇後に、ペラ部１ａ，１ｂを押さえつけているガイド板４がペラ部１ａ，１ｂから離れて上昇するタイミングを用紙のサイズに応じて変えている。すなわち、カンノン折り用紙１の端部１ｄ，１ｅの位置が一対の折りローラ２ｂ間に達するのをまって、換言すれば折り丁形成後にガイド板４を上昇させることにより、図１０に示すようなペラ部の外部飛び出し部の発生を防止している。
【００２８】
上記の例では、ガイド板４はペラ部１ａ，１ｂの開放端を押さえるものとして説明したが、本発明はこのようなものには限定されず、ナイフにより一対の折りローラ間に用紙の折り位置を押し込み、ナイフと一対の折りローラにより用紙の折り位置に折りぐせを付与して折り丁を形成する際に、用紙の折り位置の近傍を両側で押さえて安定させる押さえ手段を設けるものであれば適用できるものである。
【００２９】
また、ナイフ２ａとガイド板４は一対の折りローラ２ｂ上の用紙に対して上下動するものとして説明したが、一対の折りローラ２ｂ上の用紙に対するナイフ２ａとガイド板４の移動方向は上下方向には限らず、一対の折りローラに２ｂに対して接近、離間の往復動をするものであれば本発明は適用できる。
【００３０】
【発明の効果】
以上説明したように本発明においては、用紙の折り位置の近傍を両側で押さえる押さえ板を、一対の折りローラ上の用紙に近接した位置で移動を停止させて保持する機構を設けているので、ナイフで用紙の折り位置を一対の折りローラ間に押し込む際に用紙が安定し、また、ナイフを一対の折りローラから所定位置まで離間させた後に、すなわち折り丁形成後に押さえ板を上昇させるので、用紙のサイズに拘わらず折り丁の仕上がりが良好になる。
【図面の簡単な説明】
【図１】本発明に係る実施の形態の用紙ナイフ折り装置の概略の斜視図である。
【図２】図１の矢視Ｘ方向からみた一部断面で示す側面図である。
【図３】ナイフ上下軸とガイド板上下軸との連結関係を説明する概略の正面図である。
【図４】カンノン折り用紙の一例を示す斜視図である。
【図５】カンノン折り用紙の中心部で内側に折り込む折り丁の例の斜視図である
【図６】従来の用紙ナイフ折り装置の概略の斜視図である。
【図７】図６の矢視Ｘ方向からみた側面図である。
【図８】ナイフとガイド板とを連結した例で図６の矢視Ｘ方向からみた側面図である。
【図９】折り丁に二段折れ部が生じる例の斜視図である。
【図１０】折り丁に外側飛び出し部が生じる例の斜視図である。
【符号の説明】
１    用紙
１ａ，１ｂ  ペラ部
１ｃ  中心線
２    用紙ナイフ折り装置
２ａ  ナイフ
２ｂ  一対の折りローラ
２ｉ  ナイフ上下軸
３ａ，３ｂ  押さえ部材
４    ガイド板
５ａ，５ｂ  ホルダ
６ａ，６ｂ  ガイド板上下軸
７    連結具
７ａ  位置決め棒
８    電磁ソレノイド
９    ブロック
１０  ガイド板駆動金具
１１  バネ部材
１２  ストッパー
１３  センサ
【図１】
0004169817.tif 000002
【図２】
0004169817.tif 000003
【図３】
0004169817.tif 000004
【図４】
0004169817.tif 000005
【図５】
0004169817.tif 000006
【図６】
0004169817.tif 000007
【図７】
0004169817.tif 000008
【図８】
0004169817.tif 000009
【図９】
0004169817.tif 000010
【図１０】
0004169817.tif 000011